(57)【特許請求の範囲】
【請求項１】
斜めとなる軸芯線を中心にして回転されるミキサードラムの開口端からボトム端にかけての内周に螺旋状に配設された一対のメインブレードを有し、ミキサードラム内のボトム端側でメインブレードに連設されるボトム端側ミキシングブレードを有し、このボトム端側ミキシングブレードの基端を連設させながら一対のメインブレードに架け渡されるボトム端側支持体を有し、ミキサードラム内の開口端側で長手方向の軸芯線がミキサードラムの軸芯線を中心にする放射方向に設定されながらメインブレードに鉛直ないしはほぼ鉛直に連設される開口端側ミキシングブレードを有し、この開口端側ミキシングブレードの基端を連設させながら一対のメインブレードに架け渡される開口端側支持体を有し、この開口端側支持体を上記のボトム端側支持体に連結させる連結部材を有し、ボトム端側ミキシングブレードがサブブレードを有し、ミキサードラム内の開口端側，ボトム端側および開口端側とボトム端側の中間でメインブレードに連設される攪拌棒を有してなることを特徴とするミキサードラムの内部構造。
【発明の詳細な説明】
【０００１】
【発明の属する技術分野】
この発明は、生コンクリートなどの収容物をミキシングするミキサードラムの内部構造の改良に関する。
【０００２】
【従来技術とその課題】
たとえば、トラックの荷台に塔載されて生コンクリートをミキシングするミキサードラムの内部構造は、図２に示すように、ミキサードラム１の開口端１ａからボトム端１ｂにかけての内周に螺旋状に配設された一対のメインブレード２を有する構成とされていることが多い。
【０００３】
それゆえ、このミキサードラム１にあっては、これを図中に一点鎖線で示す斜めの軸芯線Ｃを中心にして選択された一方向に回転することで一対のメインブレード２を旋回させ得ることになり、このとき、旋回するメインブレード２で生コンクリートなどの収容物Ｗをミキサードラム１内のボトム端１ｂ側に送り込むようにし得ると共にミキシングし得ることになる。
【０００４】
このようなミキサードラム１において、ミキシング効率を良くするために、これまでに、図示しないが、メインブレード２の形状などについて種々の改良がなされるなどしているが、その一方で、たとえば、図２中に示すように、ミキサードラム１内のボトム端１ｂ側で一対のメインブレード２が形成する空間に、複数の、すなわち、一対のボトム端側ミキシングブレード３を配在する提案がなされている。
【０００５】
それゆえ、この提案によれば、ミキサードラム１の回転時にメインブレード２によって実行される言わば規則的なミキシングをボトム端側ミキシングブレード３によって撹乱する状況になり、その結果、ミキサードラム１内において、効率の良いミキシングが実現されることになる。
【０００６】
しかしながら、上記したミキサードラム１におけるボトム端側ミキシングブレード３は、ミキサードラム１内においてボトム端１ｂ側に配在されていて、ミキサードラム１内の収容物Ｗが最も嵩張るところ、すなわち、収容物Ｗの荷重が最大となってミキシングし難くなるところのミキシングをするが、収容物Ｗの表面に近いところ、すなわち、ミキサードラム１の中心部分にある収容物Ｗのミキシングを効率良く実現し得ない不具合がある。
【０００７】
その結果、これまでに提案されているミキサードラムの内部構造では、効率の良いミキシングが実現できず、そのため、たとえば、コンクリートミキサー車にあって、ミキサードラム１を一定時間高速回転させることで、ミキシング効率を上げようとすることがあり、その場合、生コンクリートにおける材料分離を招く他、騒音発生などの不具合を招くことが危惧されている。
【０００８】
この発明は、上記した事情を鑑みて創案されたものであって、その目的とするところは、ミキサードラムのいわゆる中心部分にある収容物をもミキシングするのに最適となり、たとえば、車両に塔載されて生コンクリートをミキシングするコンクリートミキサー車への利用に最適となるミキサードラムの内部構造を提供することである。
【０００９】
【課題を解決するための手段】
上記した目的を達成するために、この発明によるミキサードラムの内部構造の構成を、基本的には、斜めとなる軸芯線を中心にして回転されるミキサードラムの開口端からボトム端にかけての内周に螺旋状に配設された一対のメインブレードを有し、ミキサードラム内のボトム端側でメインブレードに連設されるボトム端側ミキシングブレードを有し、ミキサードラム内の開口端側でメインブレードに連設される開口端側ミキシングブレードを有してなるとする。
【００１０】
そして、上記した構成において、より具体的には、ミキサードラム内の開口端側ミキシングブレードは、その長手方向の軸芯線がミキサードラムの軸芯線を中心にする放射方向に設定されながらメインブレードに鉛直ないしはほぼ鉛直に連設されてなるとする。
【００１１】
また、ミキサードラム内のボトム端側ミキシングブレードには、サブブレードを連設してなるとし、このとき、サブブレードの基端がミキシングブレードに分離可能に連設されるとし、サブブレードの先端をミキサードラムの軸芯線に対向ないしはほぼ対向させるようにする。
【００１２】
さらに、好ましくは、ミキサードラム内の開口端側およびボトム端側さらには中間でメインブレードに攪拌棒を連設してなるとし、このとき、基端がメインブレードに連設される攪拌棒の先端をミキサードラムの軸芯線に対向ないしはほぼ対向させるようにする。
【００１３】
【発明の実施の形態】
以下に、図示した実施形態に基づいて、この発明を説明するが、図１に示すように、この発明によるミキサードラムの内部構造にあっても、基本的には、前記した図２に示す従来の場合と同様の構成を有している。
【００１４】
それゆえ、この発明においてその構成が従来と同様となるところについては、図中に同一の符号を付するのみとして、その詳しい説明を省略し、以下には、この発明において特徴となるところを中心に説明する。
【００１５】
ちなみに、ミキサードラム１は、斜めとなる軸芯線Ｃを中心にしていわゆる正逆の方向に回転し得るように設定されているが、たとえば、図示しないが、車両に塔載されてコンクリートミキサー車用とされる場合には、車両における走行用エンジンの駆動によって回転されるとしている。
【００１６】
また、メインブレード２は、ミキサードラム１における一方向の回転時に内部に収容の収容物Ｗ、たとえば、生コンクリートをミキサードラム１のボトム端１ｂ側に送り込むと共に、ミキサードラム１における他方向の回転時に生コンクリートをミキサードラム１の開口端１ａ側に送り出すように機能する。
【００１７】
そして、この発明においても、ミキサードラム１内のボトム端１ｂ側で一対のメインブレード２が形成する空間に、複数の、すなわち、一対のボトム端側ミキシングブレード３を配在してなる。
【００１８】
そしてまた、このミキシングブレード３は、板状体で適宜の形状に形成されながら、一対のメインブレード２に架け渡されたボトム端側支持体３１に基端が連設されてなるとし、かつ、このときに、先端がミキサードラム１の内周に対向ないしはほぼ対向するとしている。
【００１９】
以上の前提において、この発明にあっては、ミキサードラム１内の開口端１ａ側でもメインブレード２に開口端側ミキシングブレード４を連設してなるとしている。
【００２０】
このとき、この開口端側ミキシングブレード４は、上記したボトム端側ミキシングブレード３と同様に、板状体で適宜の形状に形成されながら、複数、すなわち、一対に設定されていて、その長手方向の軸芯線がミキサードラム１の軸芯線Ｃを中心にする放射方向に設定された状態でメインブレード２に鉛直ないしはほぼ鉛直に連設されてなるとしている。
【００２１】
ちなみに、このミキシングブレード４は、その側端がメインブレード２に連設されてなるとする一方で、上記したミキシングブレード３と同様に、基端が開口端側支持体４１に連設されてなるとし、かつ、このときに、先端がミキサードラム１の内周に対向ないしはほぼ対向するとしている。
【００２２】
また、開口端側支持体４１は、図示するところでは、一端がメインブレード２に連設されるのに対して、他端が連結部材４２を介して前記したボトム端側支持体３１に連結されてなるとしている。
【００２３】
なお、前記したボトム端側支持体３１も同様であるが、上記の開口端側支持体４１は、結果として、開口端側ミキシングブレード４を、たとえば、メインブレード２に固定状態に連設することを可能にするものであれば良いから、図示する棒状体に代えて、図示しないが、板状体などの任意の形状体からなるとして良いことはもちろんである。
【００２４】
このように、ミキサードラム１内の開口端１ａ側でメインブレード２に開口端側ミキシングブレード４が連設されていることで、この開口端側ミキシングブレード４による収容物Ｗの効率良いミキシングが可能になる。
【００２５】
すなわち、開口端側ミキシングブレード４は、その大きさの設定如何にもよるであろうが、これがミキサードラム１の開口端１ａ側のメインブレード２に連設されることから、ミキサードラム１の回転時に収容物Ｗのいわゆる下方だけでなく表面近くをも攪拌することになる。
【００２６】
その結果、前記したボトム端側ミキシングブレード３がミキサードラム１のボトム端１ｂ側の言わば深いところで収容物Ｗを攪拌して収容物Ｗの表面付近では攪拌を実行し得ないことに比較して、この開口端側ミキシングブレード４にあっては、収容物Ｗの表面付近での効率良いミキシングを実現できることになる。
【００２７】
このことからして、この発明にあっては、上記のボトム端側ミキシングブレード３にサブブレード５を連設するとし、このとき、このサブブレード５の基端をボトム端側ミキシングブレード３に連設しながら先端をミキサードラム１の軸芯線Ｃに対向ないしはほぼ対向させるとしている。
【００２８】
このとき、図示するところでは、サブブレード５の基端は、ボトム端側ミキシングブレード３にボルトナット（符示せず）利用で連設されるとしているが、これは、サブブレード５のボトム端側ミキシングブレード３からの撤去を可能にするためである。
【００２９】
と言うのは、上記したところでは、この発明によるミキサードラム１がコンクリートミキサー車に利用される場合を例にしたが、このミキサードラム１は、およそミキシングをする限りには、たとえば、生ゴミを発酵させて肥料などにする場合に利用されるとしても良い。
【００３０】
そして、この場合に、仮にミキサードラム１内のボトム端１ｂ側にサブブレード５を有しないボトム端側ミキシングブレード３のみが配在されているとしても、収容物Ｗたる生ゴミは、同じ収容物Ｗたる生コンクリートよりも比重を小さくするから、生コンクリートをミキシングするとき程の不具合が招来されなくなる。
【００３１】
すなわち、収容物Ｗが生ゴミである場合にも、ミキサードラム１内のボトム端１ｂ側は、収容物Ｗが最も嵩張るところになるが、上記したように、生ゴミの比重が生コンクリートの比重よりも小さいから、そこにおける荷重が過大にならず、したがって、ボトム端側ミキシングブレード３がサブブレード５を有しなくても、収容物Ｗの表面に近いところのミキシングが効果的に実現されるであろう。
【００３２】
だとすれば、この発明によるミキサードラム１が生ゴミの発酵に利用されることを予測することからして、サブブレード５をボトム端側ミキシングブレード３から撤去できるとするのが好ましいことになる。
【００３３】
以上の構成で、前記した従来のミキサードラムの内部構造に比較して、効果的なミキシングを実現できるが、この発明にあっては、さらに以下の配慮もしている。
【００３４】
すなわち、この発明にあっては、ミキサードラム１内の開口端１ａ側およびボトム端１ｂ側さらには中間でメインブレード２に攪拌棒６を連設してなるとし、このとき、攪拌棒６の基端がメインブレード２に連設されながら先端がミキサードラム１の軸芯線Ｃに対向ないしはほぼ対向するとしている。
【００３５】
このとき、この攪拌棒６は、図示するところでは、いわゆる松葉状に形成されていて二股状の先端が軸芯線Ｃに対向するように設定されてなるとしているが、要は、所定のミキシングを具現化できる限りにおいて、図示する形状に代えて、螺旋状に形成されるなど自由な形状に設定されて良い。
【００３６】
ちなみに、この攪拌棒６の作動は、機械類を利用しないでシャベルを利用していわゆる手練りでモルタルなどを造る場合に、シャベルを立ててモルタルを裁ち切るようにする作業に匹敵する。
【００３７】
すなわち、手練りでモルタルなどを造る場合には、シャベルでモルタルを返すようにするが、この作業は、ミキサードラム１において、たとえば、メインブレード２が担保することになる。
【００３８】
それに対して、手練りでモルタルなどを造る場合に、立てたシャベルでモルタルを裁ち切るようにする作業をこのミキサードラム１にあっては、攪拌棒６に担保させるとするものである。
【００３９】
それゆえ、この攪拌棒６を有するミキサードラム１にあっては、より一層効果的なミキシングを実現できることになる。
【００４０】
【発明の効果】
以上のように、この発明にあっては、ミキサードラム内のボトム端側でメインブレードにボトム端側ミキシングブレードを連設すると共に、ミキサードラム内の開口端側でメインブレードに開口端側ミキシングブレードが連設されてなるとするから、ボトム端側ミキシングブレードによる効率の良いミキシングを実行し得ると共に、開口端側ミキシングブレードによる効率の良いミキシングを実行し得る、すなわち、ミキサードラム内の開口端側で、収容物のいわゆる下方だけでなく表面近くをも攪拌し得ることになる。
【００４１】
また、この発明にあって、ミキサードラム内のボトム端側ミキシングブレードにサブブレードを連設する場合には、ボトム端側ミキシングブレードのみでは十分にミキシングし得ない収容物の表面付近をもミキシングし得ることになり、上記したところに加えて、全体として効率良いミキシングを実現できることになる。
【００４２】
このとき、サブブレードがボトム端側ミキシングブレードに分離可能に連設されるとすることで、ミキサードラムを、たとえば、生ゴミを発酵用とする場合に、部品点数を少なくするサブブレードを有しないボトム端側ミキシングブレードのみでも十分なミキシングを可能にすることになる。
【００４３】
そして、この発明にあって、ミキサードラム内の開口端側およびボトム端側さらには中間でメインブレードに攪拌棒を連設する場合には、ミキサードラム内において、たとえば、メインブレードで返すようにした収容物をこの攪拌棒が裁ち切るように作用することになり、上記したところに加えて、より一層効果的なミキシングを実現できることになる。
【００４４】
その結果、この発明によれば、ミキサードラムの中心部分にある収容物をもミキシングするのに最適となり、たとえば、車両に塔載されて生コンクリートをミキシングするコンクリートミキサー車への利用に最適となる利点がある。
【図面の簡単な説明】
【図１】  この発明によるミキサードラムの内部構造を示す概略図である。
【図２】  従来例とされるミキサードラムの内部構造を示す概略図である。
【符号の説明】
１  ミキサードラム
１ａ  開口端
１ｂ  ボトム端
２  メインブレード
３  ボトム端側ミキシングブレード
４  開後端側ミキシングブレード
５  サブブレード
６  攪拌棒
３１  ボトム端側支持体
４１  開口端側支持体
Ｃ  軸芯線
Ｗ  収容物
【図１】
0004758545.tif 000002
【図２】
0004758545.tif 000003